(57)【要約】【課題】  紙折りされた印刷用紙の折り目に文字等が来ないようにする印刷制御装置及び方法及びプログラムを提供する。【解決手段】  ネットワーク２０を通じてプリントサーバ３０内のジョブ受付部３１で折り目に文字等が来ない設定の指示を含むクライアントＰＣ１０からの印刷ジョブを受け付け、ジョブ処理部３３において、前記ジョブ受付部３１で受け付けた印刷ジョブに係わる印刷対象文書の画像を紙折り装置４１により折られる折り目に重ならないように配置して印刷データを形成し、紙折り装置４１を備えた印刷装置４０に前記形成した印刷データの印刷を指示する。【選択図】  図２
2005235072.tif 000002
【特許請求の範囲】
【請求項１】
印刷済み用紙を紙折りする紙折り装置を後処理装置として有する印刷装置を制御する印刷制御装置において、
印刷ジョブを受け付ける印刷ジョブ受付手段と、
前記印刷ジョブ受付手段で受け付けた印刷ジョブに係わる印刷対象文書の画像を前記紙折り装置により折られる折り目に重ならないように配置して印刷データを形成するレイアウト処理手段と、
前記レイアウト処理手段で形成された印刷データの印刷を前記印刷装置に指示する出力処理手段と
を具備することを特徴とする印刷制御装置。
【請求項２】
前記レイアウト処理手段は、
前記印刷ジョブに係わる印刷対象文書の画像を前記紙折り装置により折られる折り目により画成される複数の領域に対応して分割し、
該分割された画像を前記紙折り装置により折られる折り目部分に所定の空白を設けて統合することにより前記印刷データを形成する
ことを特徴とする請求項１記載の印刷制御装置。
【請求項３】
前記レイアウト処理手段は、
前記印刷ジョブに係わる印刷対象文書の画像を分析し、
該分析に基づき前記印刷ジョブに係わる印刷対象文書の画像を前記紙折り装置により折られる折り目により画成される複数の領域に対応して分割し、
該分割された画像を前記紙折り装置により折られる折り目部分に重ならないように配置調整して前記印刷データを形成する
ことを特徴とする請求項１記載の印刷制御装置。
【請求項４】
印刷済み用紙を紙折りする紙折り装置を後処理装置として有する印刷装置を制御する印刷制御装置の印刷制御方法において、
印刷ジョブを印刷ジョブ受付手段により受け付け、
前記印刷ジョブ受付手段で受け付けた印刷ジョブに係わる印刷対象文書の画像を前記紙折り装置により折られる折り目に重ならないように配置して印刷データをレイアウト処理手段により形成し、
前記レイアウト処理手段で形成された印刷データの印刷を前記印刷装置に出力処理手段により指示する
ことを特徴とする印刷制御方法。
【請求項５】
印刷済み用紙を紙折りする紙折り装置を後処理装置として有する印刷装置を制御する印刷制御装置の印刷制御をコンピュータに実行させる印刷制御プログラムにおいて、
印刷ジョブを受け付けるステップと、
該受け付けた印刷ジョブに係わる印刷対象文書の画像を前記紙折り装置により折られる折り目に重ならないように配置して印刷データを形成するステップと、
該形成された印刷データの印刷を前記印刷装置に指示するステップと
を含むことを特徴とする印刷制御プログラム。
【発明の詳細な説明】
【技術分野】
【０００１】
本発明は、印刷済み用紙を紙折りする紙折り装置を後処理装置として有する印刷装置を制御する印刷制御装置の印刷制御に関し、特に、紙折り装置により印刷済み用紙が紙折りされた際に印刷画像が折り目に重ならないように印刷画像を配置処理して印刷する印刷制御装置及び方法及びプログラムに関する。
【背景技術】
【０００２】
最近、ワードプロセッサなどの文書処理装置によって手軽に文書を作成することができるようになっているが、その中でも特に、利用者の作成意図を反映し読みやすい文書を作成できる文書処理装置等が提案されている。
【０００３】
例えば、特許文献１では、利用者の簡単な指示を受け取るだけで、入力文書のデザインを自動的に変更し、指示に則したデザインを持つ文書に加工して出力する文書処理装置が提案されており、特許文献２では、ワードプロセッサ等の文書処理システムに用いられる文書割り付け装置に関して、ある領域に対し文章を流し込む際に、自然で読みやすい割り付け結果を得る流し込み方が提案されている。
【特許文献１】特開平０６−１６８３１０
【特許文献２】特開平０６−０２８３４４
【発明の開示】
【発明が解決しようとする課題】
【０００４】
上記のように様々な文書処置装置等が提案されているが、最近、Ａ４サイズなどの用紙を三つ折り若しくは二つ折り紙折り装置を後処理装置として設けたプリンタが提案されており、このようなプリンタを使用する状況はこれから増えていくと考えられる。
【０００５】
ところで、紙折りされた用紙については、紙折りされた印刷用紙を読む時に、折り目に文字があると読みにくい。
【０００６】
このようなことはＮｕｐ印刷等の場合はページとページの境が余白となるため起こにくいが、１ページからなる文書を紙折りする場合等は文字が折り目に来る場合が生じ、この場合は、読みにくくなり、また、読むために用紙をきれいに広げ直さなければならない。  しかしながら、特許文献１、特許文献２に開示された技術においては、紙折り装置の使用は想定されておらず、印刷用紙が折られる折り目に文書内の文字等が来ないようにする解決策は存在しなかった。
【０００７】
そこで、この発明は、紙折りされた印刷用紙の折り目に文字等が来ないようにする印刷制御装置及び方法及びプログラムを提供することを目的とする。
【課題を解決するための手段】
【０００８】
上記目的を達成するため、請求項１の発明は、印刷済み用紙を紙折りする紙折り装置を後処理装置として有する印刷装置を制御する印刷制御装置において、印刷ジョブを受け付ける印刷ジョブ受付手段と、前記印刷ジョブ受付手段で受け付けた印刷ジョブに係わる印刷対象文書の画像を前記紙折り装置により折られる折り目に重ならないように配置して印刷データを形成するレイアウト処理手段と、前記レイアウト処理手段で形成された印刷データの印刷を前記印刷装置に指示する出力処理手段とを具備することを特徴とする。
【０００９】
また、請求項２の発明は、請求項１の発明において、前記レイアウト処理手段は、前記印刷ジョブに係わる印刷対象文書の画像を前記紙折り装置により折られる折り目により画成される複数の領域に対応して分割し、該分割された画像を前記紙折り装置により折られる折り目部分に所定の空白を設けて統合することにより前記印刷データを形成する
ことを特徴とする。
【００１０】
また、請求項３の発明は、前記レイアウト処理手段は、前記印刷ジョブに係わる印刷対象文書の画像を分析し、該分析に基づき前記印刷ジョブに係わる印刷対象文書の画像を前記紙折り装置により折られる折り目により画成される複数の領域に対応して分割し、
該分割された画像を前記紙折り装置により折られる折り目部分に重ならないように配置調整して前記印刷データを形成することを特徴とする。
【００１１】
また、請求項４の発明は、印刷済み用紙を紙折りする紙折り装置を後処理装置として有する印刷装置を制御する印刷制御装置の印刷制御方法において、印刷ジョブを印刷ジョブ受付手段により受け付け、前記印刷ジョブ受付手段で受け付けた印刷ジョブに係わる印刷対象文書の画像を前記紙折り装置により折られる折り目に重ならないように配置して印刷データをレイアウト処理手段により形成し、前記レイアウト処理手段で形成された印刷データの印刷を前記印刷装置に出力処理手段により指示することを特徴とする。
【００１２】
また、請求項５の発明は、印刷済み用紙を紙折りする紙折り装置を後処理装置として有する印刷装置を制御する印刷制御装置の印刷制御をコンピュータに実行させる印刷制御プログラムにおいて、印刷ジョブを受け付けるステップと、該受け付けた印刷ジョブに係わる印刷対象文書の画像を前記紙折り装置により折られる折り目に重ならないように配置して印刷データを形成するステップと、該形成された印刷データの印刷を前記印刷装置に指示するステップとを含むことを特徴とする。
【発明の効果】
【００１３】
本発明の印刷制御装置及び方法及びプログラムによれば、印刷ジョブ受付手段で受け付けた印刷ジョブに係わる印刷対象文書の画像を紙折り装置により折られる折り目に重ならないように配置して印刷データをレイアウト手段により形成し、紙折り装置を備えた印刷装置に印刷指示するように構成したので、紙折りされた印刷用紙の折り目に原稿内容の文字等が来ないようになり、紙折りされた印刷用紙の可読性を高める効果を奏する。
【発明を実施するための最良の形態】
【００１４】
以下、本発明に係わる印刷制御装置及び方法及びプログラムの実施例について添付図面を参照して詳細に説明する。
【００１５】
図１は、本実施例に係わる印刷制御装置及び方法及びプログラムを適用して構成した印刷制御システム１００の一実施例を示すブロック図である。
【００１６】
図１において、この印刷制御システム１００は、複数のクライアントＰＣ（パーソナルコンピュータ）１０−１、１０−２、…１０−ｎ（以下「クライアントＰＣ１０」という。）と、プリントサーバ３０とがネットワーク２０を介して接続され、プリントサーバ３０にはプリンタ４０が接続されて構成される。
【００１７】
ここで、プリンタ４０は、プリンタサーバ３０に直接接続されずに、ネットワーク２０を介して接続されていてもよい。
【００１８】
また、プリンタ４０は後処理装置として紙折り装置４１を有しており、プリンタ４０によって印刷出力された印刷済の用紙はこの紙折り装置４１で所望の折り方法で折られて排紙されるように構成されている。
【００１９】
プリントサーバ３０は、クライアントＰＣ１０からの印刷ジョブを受け付けるジョブ受付部３１と、受け付けたジョブを管理するジョブ管理部３２と、各ジョブについての設定を処理するジョブ処理部３３と、印刷ジョブを蓄積する印刷要求部３４と、プリンタ４０に対する印刷出力の制御を行うプリンタ制御部３５と、プリントサーバ内の各部の制御を行う制御部３６とで構成される。
【００２０】
このように構成された印刷制御システムにおいては、プリントサーバ３０がクライアントＰＣ１０から折り目に文字等が来ない設定の指示を含む印刷ジョブを受け付けると、プリントサーバ３０で印刷用紙の折られる折り目を想定して、折り目に文字等が来ないように文書のレイアウト処理を行う印刷制御処理が行われ、プリンタ４０に印刷指示が送られる。
【００２１】
プリンタ４０では、このプリントサーバ３０からの印刷指示により、印刷と印刷された用紙の紙折り装置４１による折り処理が行われる。
【００２２】
次に、本実施例によって得られる折り目に文字が来ない文書について、図２、図３を参照して説明を行う。
【００２３】
図２は本実施例によって文書が印刷制御された結果を示した模式図である。
【００２４】
図２（ａ）には三つ折りされる用紙に文書が印刷された印刷用紙２０１が示されており、三つ折りされる時に折られる上の折り線２１０、下の折り線２１１と印刷された文字が示されている。
【００２５】
この印刷用紙２０１は本実施例での印刷制御はされておらず、用紙内においては、三つ折りされる上の折り線２１０にｂの文字列が重なっており、またもう一方の下の折り線２１１にｃの文字列が重なっており、三つ折りされる折り目に文字があり読みにくい状態となっている。
【００２６】
このように印刷される文字が折り線に重なる文書について、本実施例により印刷制御を行い印刷した結果を図２（ｂ）に示す。
【００２７】
図２（ｂ）には、図２（ａ）で示された印刷用紙２０１の文書が本実施例によって印刷制御されて印刷された印刷用紙２０２が示されており、印刷用紙２０２内には三つ折りされる上の折り線２１２、下の折り線２１３と印刷された文字が示されている。
【００２８】
図２（ａ）で示した印刷用紙２０１では上の折り線２１０にｂの文字列が重なっていたが、本実施例によって印刷制御されて印刷された印刷用紙２０２では同じ個所の上の折り線２１２にｂの文字列は重なっていない。
【００２９】
また、  図２（ａ）で示した印刷用紙２０１では下の折り線２１３にｃの文字列が重なっていたが、本実施例によって印刷制御されて印刷された印刷用紙２０２では同じ個所の下の折り線２１３にｃの文字列は重なっていない。
【００３０】
次に、本実施例では印刷制御された結果、文書内の文字等の密度やレイアウトにより、ページ数が元のページ数より増える場合があり、その様子を、文書内の文字の密度やレイアウトによりページ数が元のページ数より増える様子を示した図３を参照して説明する。
【００３１】
図３（ａ）に、本実施例の印刷制御を行わずに印刷された印刷用紙３０１を示す。
【００３２】
この状態では、三つ折りされる折り線３１０にｂの文字列が重なっている。
【００３３】
図３（ｂ）に、図３（ａ）で示した印刷用紙３０１の文書を本実施例により印刷制御を行い印刷した結果である印刷用紙３０２、印刷用紙３０３を示す。
【００３４】
印刷用紙３０２、印刷用紙３０３は印刷用紙３０１が本実施例によって印刷制御処理が行われた結果である。
【００３５】
図３（ａ）で示した印刷用紙３０１では折り線３１０にｂの文字列がに重なっていたが、本実施例によって印刷制御されて印刷された印刷用紙３０２、印刷用紙３０３では同じ個所の折り線３１２にｂの文字列は重なっておらず、他の三つ折りされる折り線３１３、３１４、３１５のすべてに用紙内の文字が重なっていない。
【００３６】
しかし、印刷用紙３０１では１ページに納まっていた文書が、文書内の文字の密度やレイアウトにより、本実施例によって印刷制御された結果、ｄの文字列が次ページに印刷され、印刷用紙３０２、印刷用紙３０３と２ページに渡って印刷されている。
【００３７】
このように、本実施例によって印刷制御された結果、文書内の文字の密度やレイアウトにより、ページ数が増える場合もある。
【００３８】
また、図２、図３においては、文書内の文字が折り目に来ないように印刷制御された結果を示したが、本実施例では文書内の文字だけではなく、企業のロゴマークや電子的な印鑑等の折り目に来ることが好ましくない文書内画像についても、折り目にこないように印刷制御される。
【００３９】
次に、本実施例を用いた図１に示した印刷制御システム１００における印刷制御処理の詳細について、印刷制御処理の処理フローを示したフローチャート図４を参照しながら説明を行う。
【００４０】
本実施例においては、図１に示した印刷制御システム１００において、クライアントＰＣ１０から、印刷ジョブに折り目に文字等が来ない設定の指示を付与し、プリントサーバ３０に送られる。
【００４１】
プリントサーバ３０内では、送られた印刷ジョブをジョブ受付部３１において受け付け、ジョブ管理部３２で印刷ジョブが管理され、ジョブ処理部３３において、印刷処理が行われる。
【００４２】
ジョブ処理部３３においては、まず、印刷ジョブ内の印刷指示されたドキュメントの種類が、図であるか文書であるかどうかを調べる（ステップ４０１）。
【００４３】
ドキュメントの種類が文書の場合には、次に折り目に文字等が来ない設定が指示されているかどうかを調べ（ステップ４０２）、指示されているならば、折り目に文字等が来ないようにするブロックレイアウト処理（ステップ４０６）が行われる。
【００４４】
ここで、ブロックレイアウト処理の処理フローを説明したフローチャート図５とブロックレイアウト処理の様子を説明した説明図図６を参照しながら、ブロックレイアウト処理について詳しく説明する。
【００４５】
ブロックレイアウト処理の様子を説明した図６に示す状態６０１は印刷される文書がジョブ処理部３３において処理される前の状態であり、縦向きの用紙に三つ折りされる上の折り線６１０と下の折り線６１１と印刷される文字が示されている。
【００４６】
状態６０１に示される紙面は上の折り線６１０と下の折り線６１１により、紙面が上から３つのブロックに分割されていると考え、ブロックの名称を上のブロックからブロック６６０、ブロック６６１、ブロック６６２とする。
【００４７】
また、上の折り線６１０にはｂの文字列が重なっており、本実施例によって印刷制御が必要な状態である。
【００４８】
まず、ブロックレイアウト処理が開始されると、３つのブロックに文書を配置する為に、文書のコンポーネントを作成するコンポーネントの分析が行われる（ステップ５０１）。
【００４９】
ステップ５０１において文書のコンポーネントの分析が行われた結果が状態６０２となる。
【００５０】
状態６０２では、状態６０１の文書が３つのコンポーネントに分けられ、コンポーネント毎に文書の内容が四角で囲まれている。
【００５１】
次に、この３つのコンポーネントが３つのブロックに配置されるレイアウト調整が行われる。
【００５２】
まず、紙面の上辺６１５と上の折り線６１０で挟まれた第１のブロック６６０についてのレイアウト調整が行われる。
【００５３】
すなわち、状態６０２のｂと印刷されるコンポーネント６２０とｃと印刷されるコンポーネント６３０が、上の折り線６１０より下へずらされ、状態６０３となり、上の折り線６１０に文字が来ないように調整される（ステップ５０３）。
【００５４】
状態６０３となり第１のブロックの調整が終了したら、次のブロックに処理が移動し（ステップ５０４）、上の折り線６１０と下の折り線６１１で挟まれた第２のブロック６６１についてのレイアウト調整が行われる。
【００５５】
すなわち、状態６０３のｃと印刷されるコンポーネント６３０が、下の折り線６１１より下へずらされ、状態６０４となり、下の折り線６１１に文字が来ないように調整される（再びステップ５０３）。
【００５６】
状態６０４となり第２のブロックの調整が終了したら、次のブロックに処理が移動し（ステップ５０４）、下の折り線６１１と紙面の下辺６１６で挟まれた第３ブロック６６２についてのレイアウト調整が行われる。
【００５７】
すなわち、状態６０４のｃと印刷されるコンポーネントより下に位置するコンポーネントが、次のページに移動され、状態６０５となり、紙面の下辺６１６に文字が重ならないように調整される（再びステップ５０３）。
【００５８】
しかし、状態６０４では、ｃと印刷されるコンポーネントより下に印刷される文字がないため（文字ｃより下にコンポーネントがないため）、見た目上この処理は行われないように見えるが、図３で示したように文字の密度が多い場合には、次ページにコンポーネントが移動されるレイアウト調整が行われることがある。
【００５９】
このようにして最終的にレイアウト調整が終了した状態が状態６０５であり、状態６０５においては、印刷される文字は上の折り線６１０、下の折り線６１１ともに重なっておらず、この状態で印刷されると、折り目に文字が来ないように印刷される。
【００６０】
今回は、三つ折りを想定した印刷制御処理なので、分割されるブロックは３ブロックとなり、３回レイアウト調整を繰り返すとレイアウト調整は終了される（ステップ５０５）。
【００６１】
そして、レイアウト調整が終了した状態６０５を得ると、その状態６０５の画像がラスター化される（ステップ５０６）。
【００６２】
これで、ブロックレイアウト処理は終了する。
【００６３】
ブロックレイアウト処理については、本実施例においては文書内の文字だけではなくて、企業のロゴマークや電子的な印鑑等の折り目に来ることが好ましくない文書内画像についても、コンポーネント分析される際に配慮され、折り目に来ないようにブロックレイアウト処理される。
【００６４】
ジョブ処理部３３でブロックレイアウト処理が終了すると、このブロックレイアウト処理された印刷データは、制御部３６によって印刷要求部３４に蓄積され、この印刷データは、プリンタ制御部３５より紙折り装置４１を備えたプリンタ４０に送られる。
【００６５】
そして、印刷指示を受けた紙折り装置４１を備えたプリンタ４０は、このプリンタ制御部３５からの印刷指示に基づいて文書を用紙に印刷し（ステップ４０７）、印刷された用紙は紙折り装置４１により設定された折り方で折られて（ステップ４０８）排紙される。
【００６６】
なお、ジョブ受付部３１において受け付けた印刷ドキュメントが図面等の場合には（ステップ４０１で図）、折り目に画像が来ないように部分画像間に余白が入ることは図面の特性から意味がないことであるので、その他の指示に応じた処理（ステップ４０３）に処理の流れが移り、本実施例のブロックレイアウト処理は行われない。
【００６７】
また、たとえ文書であったとしても本実施例の折り目に文字等がこない設定が指示されていない場合には（ステップ４０２でＮＯ）、その他の指示に応じた処理（ステップ４０３）に処理の流れが移り、本実施例のブロックレイアウト処理は行われない。
【００６８】
このように、印刷処理の流れがその他の指示に応じた処理（ステップ４０３）に移ると、ジョブ処理部３３において、その他の指示に応じた処理が行われ（ステップ４０３）、印刷データが制御部３６によって印刷要求部３４に蓄積され、この印刷データは、プリンタ制御部３５より紙折り装置４１を備えたプリンタ４０に送られる。
【００６９】
そして、印刷指示を受けた紙折り装置４１を備えたプリンタ４０は、このプリンタ制御部３５からの印刷指示に基づいて文書を用紙に印刷し（ステップ４０４）、その他の指示が紙折りを含んでいる場合は印刷された用紙が紙折り装置４１によりその他の指示に応じた折り方で折られて排紙される（ステップ４０５）。
【産業上の利用可能性】
【００７０】
この発明は、紙折り装置を具備した印刷装置を有する印刷制御環境において利用可能である。
【００７１】
この発明によれば、印刷用紙が折られる折り目を想定して、印刷される文書の原稿内容を分割し前記折り目に重ならないように配置する処理が行われるから、印刷され紙折りされた印刷用紙を読む時に折り目に文字が来て読みにくいことが無くなり、印刷され紙折りされた印刷用紙の可読性が高まる。
【図面の簡単な説明】
【００７２】
【図１】印刷制御システム１００の一実施例を示すブロック図。
【図２】本実施例によって文書が印刷制御された結果を示した模式図。
【図３】本実施例によって文書が印刷制御され、ページが増える様子を説明した説明図。
【図４】本実施例の印刷制御処理の処理フローを説明したフローチャート。
【図５】ブロックレイアウト処理の処理フローを説明したフローチャート。
【図６】ブロックレイアウト処理の様子を説明した説明図。
【符号の説明】
【００７３】
１０−１    クライアントＰＣ
２０    ネットワーク
３０    プリントサーバ
３１    ジョブ受付部
３２    ジョブ管理部
３３    ジョブ処理部
３４    印刷要求部
３５    プリンタ制御部
３６    制御部
４０    プリンタ
４１    紙折り装置
【図１】
2005235072.tif 000003
【図２】
2005235072.tif 000004
【図３】
2005235072.tif 000005
【図４】
2005235072.tif 000006
【図５】
2005235072.tif 000007
【図６】
2005235072.tif 000008